【手続補正書】
【提出日】平成20年12月18日(2008.12.18)
【手続補正１】
【補正対象書類名】特許請求の範囲
【補正対象項目名】全文
【補正方法】変更
【補正の内容】
【特許請求の範囲】
【請求項１】
生体情報検出／送信装置と、生体情報表現装置と、を有する生体情報共有システムとして、
上記生体情報検出／送信装置は、
被検出者の生体情報を検出する検出手段と、
上記検出手段で検出された生体情報を送信出力する送信手段と、
を備え、
生体情報表現装置は、
情報通信を行う通信手段と、
所定の態様で生体情報の表現動作を行う動作手段と、
上記通信手段に生体情報の受信処理を実行させるとともに、上記通信手段で受信した生体情報に基づいて上記動作手段の駆動制御処理を実行する制御手段と、
を備えたことを特徴とする生体情報共有システム。
【請求項２】
さらに生体情報を蓄積する蓄積手段を備えたサーバ装置を有し、
上記生体情報検出／送信装置の上記送信手段は、生体情報を上記サーバ装置に対してアップロード送信し、
上記サーバ装置は、アップロード送信されてきた生体情報を、上記蓄積手段に蓄積し、
上記生体情報表現装置の上記通信手段は、上記サーバ装置の上記蓄積手段に蓄積されている生体情報をダウンロード受信することを特徴とする請求項１に記載の生体情報共有システム。
【請求項３】
上記生体情報は、脈拍、心拍、心電図、筋電、呼吸、発汗、ＧＳＲ、血圧、血中酸素飽和濃度、皮膚表面温度、脳波、血流変化、体温、体の動き、頭の動き、重心、歩行／走行のリズム、眼の状態のうちの少なくとも一つであることを特徴とする請求項１に記載の生体情報共有システム。
【請求項４】
上記サーバ装置は、アップロード送信されてきた上記生体情報について、上記被検出者の識別情報を対応させて上記蓄積手段に蓄積することを特徴とする請求項２に記載の生体情報共有システム。
【請求項５】
上記生体情報表現装置は、上記サーバ装置の上記蓄積手段に蓄積された生体情報のうちで、上記識別情報に基づいて選択した生体情報を、上記通信手段によりダウンロード受信することを特徴とする請求項４に記載の生体情報共有システム。
【請求項６】
情報通信を行う通信手段と、
所定の態様で生体情報の表現動作を行う動作手段と、
上記通信手段に生体情報の受信処理を実行させるとともに、上記通信手段で受信した生体情報に基づいて上記動作手段の駆動制御処理を実行する制御手段と、
を備えたことを特徴とする生体情報表現装置。
【請求項７】
上記制御手段は、外部のサーバ装置に蓄積された生体情報の中から選択した生体情報を、上記通信手段によりダウンロード受信させることを特徴とする請求項６に記載の生体情報表現装置。
【請求項８】
上記サーバ装置には、生体情報が、その生体情報の被検出者の識別情報と対応づけられて蓄積されているとともに、
上記制御手段は、上記識別情報に基づいて、上記サーバ装置に蓄積された生体情報の中から受信する生体情報を選択することを特徴とする請求項７に記載の生体情報表現装置。
【請求項９】
上記動作手段は、振動部として形成され、
上記制御手段は、上記通信手段で受信した生体情報に基づく駆動制御信号を生成して上記振動部に振動動作を実行させることを特徴とする請求項６に記載の生体情報表現装置。
【請求項１０】
上記動作手段は、形状変化部として形成され、
上記制御手段は、上記通信手段で受信した生体情報に基づく駆動制御信号を生成して上記形状変化部に形状変化動作を実行させることを特徴とする請求項６に記載の生体情報表現装置。
【請求項１１】
上記動作手段は、圧力印加部として形成され、
上記制御手段は、上記通信手段で受信した生体情報に基づく駆動制御信号を生成して上記圧力印加部に圧力印加動作を実行させることを特徴とする請求項６に記載の生体情報表現装置。
【請求項１２】
上記動作手段は、温度変化部として形成され、
上記制御手段は、上記通信手段で受信した生体情報に基づく駆動制御信号を生成して上記温度変化部に温度変化動作を実行させることを特徴とする請求項６に記載の生体情報表現装置。
【請求項１３】
上記動作手段は、湿感変化部として形成され、
上記制御手段は、上記通信手段で受信した生体情報に基づく駆動制御信号を生成して上記湿感変化部に湿感変化動作を実行させることを特徴とする請求項６に記載の生体情報表現装置。
【請求項１４】
上記動作手段は、画像表示部として形成され、
上記制御手段は、上記通信手段で受信した生体情報に基づく画像信号を生成して上記画像表示部で表示動作を実行させることを特徴とする請求項６に記載の生体情報表現装置。
【請求項１５】
上記動作手段は、音声出力部として形成され、
上記制御手段は、上記通信手段で受信した生体情報に基づく音声信号を生成して上記音声出力部で音声出力動作を実行させることを特徴とする請求項６に記載の生体情報表現装置。
【請求項１６】
上記制御手段は、上記通信手段で継続的に受信される生体情報に基づいて、上記動作手段のリアルタイム駆動制御処理を実行することを特徴とする請求項６に記載の生体情報表現装置。
【請求項１７】
ストレージ手段をさらに備え、
上記制御手段は、上記通信手段で受信された生体情報を上記ストレージ手段に記憶させるとともに、上記ストレージ手段から読み出した生体情報に基づいて上記動作手段の駆動制御処理を実行することを特徴とする請求項６に記載の生体情報表現装置。
【請求項１８】
生体情報を受信するステップと、
受信した生体情報に基づいて、所定の態様での表現動作のための駆動制御信号を生成するステップと、
上記駆動制御信号による動作を実行するステップと、
を備えたことを特徴とする生体情報表現方法。
【手続補正２】
【補正対象書類名】明細書
【補正対象項目名】０００５
【補正方法】変更
【補正の内容】
【０００５】
本発明の生体情報共有システムは、生体情報検出／送信装置と、生体情報表現装置とを有する。上記生体情報検出／送信装置は、被検出者の生体情報を検出する検出手段と、上記検出手段で検出された生体情報を送信出力する送信手段とを備える。また生体情報表現装置は、情報通信を行う通信手段と、所定の態様で生体情報の表現動作を行う動作手段と、上記通信手段に生体情報の受信処理を実行させるとともに、上記通信手段で受信した生体情報に基づいて上記動作手段の駆動制御処理を実行する制御手段とを備える。
また、さらに生体情報を蓄積する蓄積手段を備えたサーバ装置を有し、上記生体情報検出／送信装置の上記送信手段は、生体情報を上記サーバ装置に対してアップロード送信し、上記サーバ装置は、アップロード送信されてきた生体情報を、上記蓄積手段に蓄積する。上記生体情報表現装置の上記通信手段は、上記サーバ装置の上記蓄積手段に蓄積されている生体情報をダウンロード受信する。
また上記生体情報は、脈拍、心拍、心電図信号、筋電、呼吸（例えば呼吸の速さ、深さ、換気量など）、発汗、ＧＳＲ（皮膚電気反応）、血圧、血中酸素飽和濃度（ＳｐＯ2）、皮膚表面温度、脳波（例えばα波、β波、θ波、δ波の情報）、血流変化（近赤外分光による脳血流、抹消血流などの血流変化）、体温、体の動き（揺れ）、頭の動き（揺れ）、重心、歩行／走行のリズム、眼の状態（瞳孔状態、眼の動き、まばたき等）のうちの少なくとも一つであるとする。
【手続補正３】
【補正対象書類名】明細書
【補正対象項目名】０００７
【補正方法】変更
【補正の内容】
【０００７】
本発明の生体情報表現装置は、情報通信を行う通信手段と、所定の態様で生体情報の表現動作を行う動作手段と、上記通信手段に生体情報の受信処理を実行させるとともに、上記通信手段で受信した生体情報に基づいて上記動作手段の駆動制御処理を実行する制御手段とを備える。
また上記制御手段は、外部のサーバ装置に蓄積された生体情報の中から選択した生体情報を、上記通信手段によりダウンロード受信させる。特に上記サーバ装置には、生体情報が、その生体情報の被検出者の識別情報と対応づけられて蓄積されているとともに、上記制御手段は、上記識別情報に基づいて、上記サーバ装置に蓄積された生体情報の中から受信する生体情報を選択する。
【手続補正４】
【補正対象書類名】明細書
【補正対象項目名】０００８
【補正方法】変更
【補正の内容】
【０００８】
また上記動作手段は、振動部として形成され、上記制御手段は、上記通信手段で受信した生体情報に基づく駆動制御信号を生成して上記振動部に振動動作を実行させる。
また上記動作手段は、形状変化部として形成され、上記制御手段は、上記通信手段で受信した生体情報に基づく駆動制御信号を生成して上記形状変化部に形状変化動作を実行させる。
また上記動作手段は、圧力印加部として形成され、上記制御手段は、上記通信手段で受信した生体情報に基づく駆動制御信号を生成して上記圧力印加部に圧力印加動作を実行させる。
また上記動作手段は、温度変化部として形成され、上記制御手段は、上記通信手段で受信した生体情報に基づく駆動制御信号を生成して上記温度変化部に温度変化動作を実行させる。
また上記動作手段は、湿感変化部として形成され、上記制御手段は、上記通信手段で受信した生体情報に基づく駆動制御信号を生成して上記湿感変化部に湿感変化動作を実行させる。
また上記動作手段は、画像表示部として形成され、上記制御手段は、上記通信手段で受信した生体情報に基づく画像信号を生成して上記画像表示部で表示動作を実行させる。
また上記動作手段は、音声出力部として形成され、上記制御手段は、上記通信手段で受信した生体情報に基づく音声信号を生成して上記音声出力部で音声出力動作を実行させる。
【手続補正５】
【補正対象書類名】明細書
【補正対象項目名】０００９
【補正方法】変更
【補正の内容】
【０００９】
また上記制御手段は、上記通信手段で継続的に受信される生体情報に基づいて、上記動作手段のリアルタイム駆動制御処理を実行する。
またストレージ手段をさらに備え、上記制御手段は、上記通信手段で受信された生体情報を上記ストレージ手段に記憶させるとともに、上記ストレージ手段から読み出した生体情報に基づいて上記動作手段の駆動制御処理を実行する。
【手続補正６】
【補正対象書類名】明細書
【補正対象項目名】００２２
【補正方法】変更
【補正の内容】
【００２２】
通信部４は外部通信機器との間でのデータの送受信を行う。特には、図１（ａ）のシステム構成の場合、通信部４はネットワーク６０を介した通信として、サーバ装置７０との間でのデータ通信を行う。この場合、通信部４は、有線又は無線でネットワーク接続されて通信を行うものであればよい。例えばネットワークアクセスポイントとの間で無線通信を行う構成が考えられる。
また図１（ｂ）のシステム構成の場合、通信部４は、生体情報表現装置２０との間で有線又は無線でデータ通信を行う。
【手続補正７】
【補正対象書類名】明細書
【補正対象項目名】００５７
【補正方法】変更
【補正の内容】
【００５７】
生体情報検出／送信装置１の検出／送信コントローラ２は、処理開始のトリガ発生に応じて、処理をステップＦ４０１からＦ４０２に進める。なお、処理開始のトリガとは、例えば電源オンなどとしてもよいし、被検出者の開始操作としてもよい。
ステップＦ４０２では、生体情報検出を行う。即ち検出／送信コントローラ２は、生体センサ部５から供給される生体情報の検出信号を取り込む。
そしてステップＦ４０３では、システムコントローラ２１は取り込んだ生体情報を送信データとして通信部４に転送し、所要の変調動作を実行させて送信出力させる。
【手続補正８】
【補正対象書類名】明細書
【補正対象項目名】００７１
【補正方法】変更
【補正の内容】
【００７１】
＜自律神経系４：温熱系（皮膚温）＞
＊物理量、測定量
・皮膚温度
・温度分布
＊要素技術
・周波数解析
・時系列解析
＊利用応用例
・情動の推定
・・不安・困惑・怒り（手指の皮膚温の低下）
・・安堵・弛緩（手指の皮膚温の上昇）
・精神的負荷の推定
・・手指、鼻部の皮膚温の低下